(57)【要約】      （修正有）【課題】縫製手段の一部に溶融溶着手段を用い、それによって生産性を向上すると共に、飾りパターン等によって装飾効果を高めたタッセルを提供することにある。【解決手段】帯状体３はタッセル生地１を二つ折にした折布体２と、タッセル生地１を二枚重ねした二重布体１２であるか、または折布体２及び二重布体１２の表側生地片１ａと裏側生地片１ｂとの間に芯材１０を介在しているものであり、帯状体３の長手側非折返端部２ａ，２ｂに、超音波手段８を用いて飾りパターン５から成る装飾部４と、パターン端部５ａに添って補助飾り部６を適宜間隔で点在した装飾部４との何れかを備え、飾りパターン５のパターン端部５ａと補助飾り部６とが溶融溶着して糸のほつれを防ぎ、帯状体３の左右に紐環７Ｌ，７Ｒを、適宜位置に一方側紐環７と掛脱可能となるボタン１７を備えている。【選択図】なし【特許請求の範囲】
【請求項１】
帯状体（３）の少なくとも長手側非折返端部（２ａ）に、超音波手段（８）を用いて飾りパターン（５）から成る装飾部（４）を備え、飾りパターン（５）のパターン端部（５ａ）を溶融溶着して糸のほつれを防いでいることを特徴とするタッセル。
【請求項２】
帯状体（３）はタッセル生地（１）を二つ折にした折布体（２）であり、折布体（２）の表側生地片（１ａ）と裏側生地片（１ｂ）との長手側非折返端部（２ａ）に飾りパターン（５）から成る装飾部（４）を備えていることを特徴とする請求項１記載のタッセル。
【請求項３】
帯状体（３）はタッセル生地（１）を二枚重ねした二重布体（１２）であり、二重布体（１２）の表側生地片（１ａ）と裏側生地片（１ｂ）との長手側非折返端部（３ａ，３ｂ）に飾りパターン（５）から成る装飾部（４）を各々備えていることを特徴とする請求項１記載のタッセル。
【請求項４】
表側生地片（１ａ）と裏側生地片（１ｂ）との間に芯材（１０）を介在していることを特徴とする請求項２または３記載のタッセル。
【請求項５】
装飾部（４）の飾りパターン（５）は、パターン端部（５ａ）に添って補助飾り部（６）を備えていることを特徴とする請求項１，２，３または４記載のタッセル。
【請求項６】
補助飾り部（６）は、転写紙（Ｐ）を介して融着した有色補助飾り部（１６）であることを特徴とする請求項５記載のタッセル。
【請求項７】
帯状体（３）は長手方向の左右にカーテンを束ねて保持するための紐環（７Ｌ，７Ｒ）を備え、且つ長手側の適宜位置に一方側紐環（７）と掛脱可能となるボタン（１７）を備えていることを特徴とする請求項１，２，３，４，５または６記載のタッセル。
【発明の詳細な説明】
【技術分野】
【０００１】
この発明は、主に室内用吊り下げカーテンを纏めて束ねるタッセルに関する。
【背景技術】
【０００２】
従来タッセルの内、図９−１の如く帯状体の両側に紐環を設けた紐掛け式タッセルにあっては、一方の紐環を窓枠側に取付けたフックに掛止し、帯状体を窓枠側に寄せ集めたカーテンに巻付けた後、他方の紐環をフックに掛着し、カーテンを窓枠側に引き寄せ、図９−２の如く帯状体の一方にボタンを、他方にボタンホールを設けたボタン式タッセルにあっては、その帯状体をカーテンの中間部に巻付けて寄せ集め、ボタンとボタンホールとを係合し、カーテンの中間部を絞り込むものである。
何れにしても、タッセルの一部は室内から見えるので、装飾的な要素が必要であると言える。
【０００３】
帯状体は図１０の如く、先ずタッセル生地１の上半分に芯材１０を重ね、生地上端部を芯材１０の上側に折返し、その上折返し片１ａと芯材１０とタッセル生地１とを先ず縫糸Ｆ１で縫着し、次いで生地下端部を内側に折返し、下半分を上半分側に折り重ね、下折返し片１ｂを芯材１０の縫着部に重ね、それらの全体を再度縫糸Ｆ２で縫着し、生地端のほつれを防止していた。
厚手のタッセルにあっては、芯材１０の介在を省略することもある。
【特許文献１】特開平１０−２０１６０７号公報
【特許文献２】特開２００３−６１８１３号公報
【発明の開示】
【発明が解決しようとする課題】
【０００４】
解決しようとする問題点の１は、タッセルは、主にカーテン生地から形成した帯状体であるから装飾効果が少ないこと。問題点の２は、帯状体の殆どを縫製手段にて加工しているので、加工に手間が掛かり量産性に乏しく、しかも２度の縫着により、片側に２度縫した糸目が表れる等、美感を重視するタッセルとしても問題点があること。にある。
そこでこの発明は、従来技術の有するこのような問題点に鑑みてなされたものであり、その目的とするところは、縫製手段の一部に溶融溶着手段を用い、その溶融溶着手段によって生産性を向上すると共に、飾りパターン等によって装飾効果を高めたタッセルを提供することにある。
【課題を解決するための手段】
【０００５】
上記目的を達成するために、本発明のタッセルは、請求項１として、帯状体の少なくとも長手側非折返端部に、超音波手段を用いて飾りパターンから成る装飾部を備え、飾りパターンのパターン端部を溶融溶着して糸のほつれを防いでいることを特徴とする。
請求項２として、請求項１のタッセルにおいて、帯状体はタッセル生地を二つ折にした折布体であり、折布体の表側生地片と裏側生地片との長手側非折返端部に飾りパターンから成る装飾部を備えていることを特徴とする。
請求項３として、請求項１のタッセルにおいて、帯状体はタッセル生地を二枚重ねした二重布体であり、二重布体の表側生地片と裏側生地片との長手側非折返端部に飾りパターンから成る装飾部を各々備えていることを特徴とする。
【０００６】
請求項４として、請求項２または３記載のタッセルにおいて、表側生地片と裏側生地片との間に芯材を介在していることを特徴とする。
請求項５として、請求項１，２，３または４記載のタッセルにおいて、装飾部の飾りパターンは、パターン端部に添って補助飾り部を備えていることを特徴とする。
請求項６として、請求項５記載のタッセルにおいて、補助飾り部は、転写紙を介して融着した有色補助飾り部であることを特徴とする。
請求項７として、請求項１，２，３，４，５又は６記載のタッセルにおいて、帯状体は長手方向の左右にカーテンを束ねて保持するための紐環を備え、且つ長手側の適宜位置に一方の紐環と掛脱可能となるボタンを備えていることを特徴とする。
【０００７】
ここでタッセルとは、カーテンの中間部、又は下部を集合して束ねるものであり、タッセル生地とは、タッセルの素材となるもので、特に樹脂系の糸を用いた織物やレース編み物等を言う。
ここで帯状体とは、タッセル生地を二つ折にした折布体と、タッセル生地を二枚重ねした二重布体、及び折布体や二重布体に芯材を介在するものを言い、少なくとも長手側非折返端部に装飾部を備え、カーテンの集合部に巻きつけるものを言う。
ここで装飾部とは、飾りパターンを一定間隔で連続的に備えた部位を言い、飾りパターンとは、意匠的で、且つ美感を有し、連続的に形成し得るものであれば形状は自由であるが、上下対称の幾何学形や波状模様が代表的である。
ここで補助飾り部とは、パターン端部に添って設ける意匠的な部分を言い、二枚以上の生地から成る帯状体に設ける補助飾り部にあっては、二枚以上の生地を溶融して一体化し、即ち、溶融溶着することを言う。また、有色補助飾り部とは、有色転写紙を介して溶融溶着することにより、補助飾り部に着色を施すものを言う。
ここで溶融溶着とは、超音波手段を用いて樹脂系のタッセル生地を溶融して溶着することを言い、パターン端部にあっては、不用部と切離し可能に、且つ糸のほつれを防ぎ得るように溶融溶着し、補助飾り部にあっては、二枚以上の生地から成る帯状体において、二枚以上の生地を一体的に溶融溶着することを言う。
超音波手段の外に、高周波手段とヒートカット手段を用いることも可能である。
【発明の効果】
【０００８】
本発明によるタッセルは上記構造のとおりであるから、次に記載する効果を奏する。
請求項１のタッセルは、タッセルとしての目的（カーテンを束ねて窓枠側に引寄せること、カーテンの中間部を束ねること）以外に、帯状体の長手側に飾りパターンから成る装飾部を有しているので、それによって多様な装飾性を演出し、美感を著しく向上し、視覚を楽しませ、独特の雰囲気を醸し出すことができる。
飾りパターンのパターン端部は高周波手段により溶融溶着されているので、パターン端部のほつれがない。しかも、縫製による生地端のほつれ防止加工に比べて著しく簡単容易になり、作業能率が向上し、低価格化に貢献する。
請求項２のタッセルは、請求項１の特徴に加えて、帯状体が折布体であり、その長手側非折返端部に飾りパターンから成る装飾部を備えているので、装飾効果も一段と向上し、美観を重視する内装に顕著な効果を奏する。また、タッセルの一部が室内側から視覚できるので、装飾効果を十分に発揮する。
請求項３のタッセルは、請求項１の特徴に加えて、帯状体が二重布体であり、その長手側非折返端部に飾りパターンから成る装飾部を備えているので、新しいデザイン感覚のタッセルが提供し得る。
【０００９】
請求項４のタッセルは、請求項２，３記載の特徴に加えて、折布体又は二重布体に芯材を介在しているので、芯材を介在した分だけ硬性が向上し、タッセルの取り扱いや包装等が容易になるし、カーテンに巻きつけても外形状が崩れることがなく、そのことにより見栄えが良くなり、美観も向上する。
請求項５のタッセルは、請求項１，２，３，４記載の特徴に加えて、飾りパターンのパターン端部に添って補助飾り部を備えているので、装飾効果が更に向上する。即ち、補助飾り部は、室内側から視覚できるタッセルの装飾効果に貢献する。また、補助飾り部はタッセル生地の溶融溶着にて形成するものであるから、二枚以上の生地から成る帯状体において、二枚以上の生地の一体化を補強し、パターン端部のほつれ防止に貢献する。
請求項６のタッセルは、請求項５記載の特徴に加えて、転写紙を介して有色補助飾り部を形成しているので、色彩豊かな補助飾り部を表現し得る。
請求項７のタッセルは、請求項１，２，３，４，５，６記載の特徴に加えて、帯状体の左右に紐環を備えているので、これを利用して従来通りカーテンを窓縦枠側に引寄せて止ることができるばかりか、長手側の適宜位置にボタンを備えているので、一方側紐環とボタンを利用すれば、カーテンの中間部を纏めて止めることができる。即ち、部屋の雰囲気（インテリア）に合わせて二様に利用できる。
【発明を実施するための最良の形態】
【００１０】
先ず、本発明によるタッセルの最良の形態を説明すれば、樹脂系の糸から成るタッセル生地１を長手方向に沿って二つ折にし、図１−１の如く所定幅で一定の長さを有する表側生地片１ａと裏側生地片１ｂとから成る折布体２を形成し、該折布体２の少なくとも長手側非折返端部２ａを図１−６の如く超音波手段８の回転体９とターンテ−ブル１９との間に挿入し、図１−２の如く回転体９の溶着用突部９ａによって飾りパターン５を、また回転体９の補助溶着用突部９ｂによってパターン端部５ａより内側に補助飾り部６を連続的に形成し、図１−３の如く飾りパターン５と補助飾り部６とから成る装飾部４を設け、図１−４の如くパターン端部５ａに添って不用部１３を切離し、装飾部４を備えた帯状体３を得た後、図１−５の如く帯状体３の左右端から内部に紐端部７ａ，７ｂを挿入し、帯状体３の左右端部３ａ，３ｂを縫着し、帯状体３の左右に紐環７Ｌ，７Ｒを設ける一方、左端部３ａ側に片よった位置にボタン１７を取付けている。
【実施例１】
【００１１】
本発明によるタッセルの第一実施例を、最良の形態と相違する点について説明すると、帯状体３の素材として図２−１の如く厚手タッセル生地１を用い、該タッセル生地１の長手側端部に添って図２−２の如く超音波手段８を走行し、回転体９の溶着用突部９ａからターンテーブル１９に向けて照射される超音波によってタッセル生地１の樹脂糸を溶融し、図２−３の如く飾りパターン５から成る装飾部４を形成し、タッセル生地１の両側に装飾部４を備えた後、図２−４の如くパターン端部５ａに添って不用部１３を切離して帯状体３を得るものであり、飾りパターン５のパターン端部５ａは切離し可能に溶融溶着されているので、生地糸のほつれがない。
回転体９の溶着用突部９ａは、回転体９の外周面に飾りパターン５のデザインに合わせて設けるものである。
【実施例２】
【００１２】
本発明によるタッセルの第二実施例を、第一実施例と相違する点について説明すると、図３−１の如く帯状体３の素材としてタッセル生地１を二枚重ねた二重布体１２を用いるものであり、二重布体１２の表側生地片１ａと裏側生地片１ｂとの長手側非折返端部２ａ，２ｂの一方側に先ず図３−２の如く超音波手段８により飾りパターン５を、次いで他方側に図３−３の如く飾りパターン５を設け、飾りパターン５から成る装飾部４を両側に形成した後、図３−４の如くパターン端部５ａに添って不用部１３を切離し、帯状体３を得るものである。
【実施例３】
【００１３】
本発明によるタッセルの第三実施例を、最良の形態と相違する点について説明すると、図４（イ）の如く折布体２の表側生地片１ａと裏側生地片１ｂとの間に芯材１０を介在し、最良の形態と同様に折布体２の長手側非折返端部２ａに飾りパターン５から成る装飾部４を備え、図２−４の如く装飾部４を備えた帯状体３を得るか、図４（ロ）の如く二重布体１２の表側生地片１ａと裏側生地片１ｂとの間に芯材１０を介在し、実施例２と同様に二重布体１２の長手側非折返端部２ａ，２ｂに飾りパターン５から成る装飾部４を備え、図３−４の如く装飾部４を備えた帯状体３を得るものである。
【実施例４】
【００１４】
本発明によるタッセルの第四実施例を、最良の形態と相違する点について説明すると、図５−１の如く長手側非折返端部２ａ，２ｂの一方側に先ず超音波手段８により飾りパターン５と、該パターン５のパターン端部５ａより内側に補助飾り部６とを連続的に形成し、次いで他方側に飾りパターン５と補助飾り部６とを連続的に形成し、飾りパターン５と補助飾り部６とから成る装飾部４を備えた帯状体３を形成し、パターン端部５ａに添って不用部１３を切離すものであり、補助飾り部６として例えば図５−２の如く楕円形、三角形、矩形、菱形、星形等を用いることができる。
【実施例５】
【００１５】
本発明によるタッセルの第五実施例を、第四実施例と相違する点について説明すると、図６の如く折布体２と超音波手段８の回転体９との間に転写紙Ｐを介在し、或は二重布体１２と回転体９との間に転写紙Ｐを介在し、転写紙Ｐの上から折布体２、又は二重布体１２に向けて超音波を照射することで、有色補助飾り部１６を形成している。
例えば、青色転写紙Ｐを補助飾り部６の成形区域に重ね、転写紙Ｐの上から超音波を照射すれば、有色補助飾り部１６が青色になる。即ち、色彩豊かな有色補助飾り部１６を形成することができる。
【実施例６】
【００１６】
本発明によるタッセルの第六実施例を図１−５に基づき説明すると、帯状体３の長手方向の左右に紐環７Ｌ，７Ｒを備えると共に、左右端部３ａ，３ｂの一方側に片よった位置にボタン１７を取付けるもので、例えばボタン１７から右端部３ｂまでの右側長さＨを、ボタン１７から左端部３ａまでの左側長さｈより長くする。
このことにより、左右の紐環７Ｌ，７Ｒを用いて、カーテンを窓縦枠側に引寄せて止めることができるし、一方側紐環８とボタン１７を用いてカーテンの中間部を寄集めて束ねることができるばかりか、所望するカーテンの垂れ下げ形態に応じて、当該カーテンの下部を寄集めてタッセルにて止めれば、カーテンをエレガントな状態することができる。室内装飾的美観が醸成される。
左右二枚のカーテンを開けた場合、各々のカーテンを束ね、その束ねたカーテンの任意位置に帯状体３を巻き付け、紐環８をボタン１７に掛けるだけでタッセルを装着でき、カーテンがまとめられた状態に保持される。
【産業上の利用可能性】
【００１７】
装飾部４の飾りパターン５は、実施例に限定されるのではなく、図７−１の如く半円状飾りパターン５を折布体２、又は二重布体１２の長手方向に対して湾曲するように配置し、図７−２の如く山形状飾りパターン５を折布体２、又は二重布体１２の長手方向に配置し、図７−３の如く大小の半円状飾りパターン５を折布体２、又は二重布体１２の長手方向に交互に配置し、更に飾りパターン５のパターン端部５ａに図７−４の如くフリル５ｂを形成することができる。即ち、飾りパターン５のピッチを粗く、或は細かく設けることも可能であるし、幾何学的な表現であっても、見る者にとって違和感なく美感を認識することができるものであればよく、また補助飾り部６は、実施例に限定されるのではなく、美感を認識することができるものであればよい。
【００１８】
カーテン生地１として、薄地、薄地、中厚地、厚地の織物、及びレース編地を用いることができる。
超音波手段８は図８の如く、回転体９の円周面にパターン端部５ａの溶着用突部９ａを備えると共に、溶着用突部９ａより内側に補助飾り部６の補助溶着用突部９ｂを設けており、折布体２の長手側非折返端部２ａに添って、或は二重布体１２の長手側非折返端部２ａ，２ｂに添って走行することにより、パターン端部５ａを溶融溶着しながら、パターン端部５ａから５ｍｍ以内に補助飾り部６を適宜間隔で溶融溶着するものである。
溶融可能な芯材１０を介在する帯状体３にあっては、芯材１０を含めて裏表側生地片１ａ，１ｂを溶着することが好ましい。
本発明のタッセルは、自動車や電車のカーテン等にも用いることができる。
【図面の簡単な説明】
【００１９】
【図１−１】本発明タッセルにおける最良の形態に用いる折布体の斜視図である。
【図１−２】最良の形態における飾りパターンの形成例を示す平面図である。
【図１−３】最良の形態における装飾部の形成例を示す平面図である。
【図１−４】最良の形態における帯状体の切離し例を示す平面図である。
【図１−５】帯状体に紐環とボタンとを備えたタッセルの平面図である。
【図１−６】超音波手段により装飾部の形成例を示す概略図である。
【図２−１】本発明タッセルの第一実施例に用いるタッセル生地の斜視図である。
【図２−２】第一実施例おける飾りパターンの形成例を示す平面図である。
【図２−３】第一実施例における装飾部の形成例を示す平面図である。
【図２−４】第一実施例における帯状体の切離し例を示す平面図である。
【図３−１】本発明タッセルの第二実施例に用いるタッセル生地の斜視図である。
【図３−２】第二実施例における飾りパターンの形成例を示す平面図である。
【図３−３】第二実施例における装飾部の形成例を示す平面図である。
【図３−４】第二実施例における帯状体の切離し例を示す平面図である。
【図４】本発明タッセルの第三実施例に用いる芯材介在帯状体の斜視図である。
【図５−１】本発明タッセルの第四実施例における飾りパターンと補助飾り部との形成例を示す平面図である。
【図５−２】補助飾り部の形状例を示す平面図である。
【図６】本発明タッセルの第五実施例における転写紙の使用例を示す超音波手段の概略図である。
【図７−１】装飾部の類例を示す帯状体の正面図である。
【図７−２】装飾部の類例を示す帯状体の正面図である。
【図７−３】装飾部の類例を示す帯状体の正面図である。
【図７−４】飾りパターンの拡大正面図である。
【図８】超音波手段の要部斜視図である。
【図９−１】従来紐掛け式タッセルの正面図である。
【図９−２】従来ボタン式タッセルの正面図である。
【図１０】従来帯状体の成形工程図である。
【符号の説明】
【００２０】
１  タッセル生地
１ａ  表側生地片（上折返し片）、１ｂ  裏側生地片（下折返し片）
２  折布体、１２  二重布体、２ａ，２ｂ  長手側非折返端部
３  帯状体、３ａ，３ｂ  左右端部、１３  不用部
４  装飾部
５  飾りパターン、５ａ  パターン端部、５ｂ  フリル
６  補助飾り部、１６  有色補助飾り部
７，７Ｌ，７Ｒ  紐環、７ａ，７ｂ  端部、１７  ボタン
８  超音波手段
９  回転体、９ａ  溶着用突部、９ｂ  補助溶着用突部
１９  ターンテーブル
１０  芯材
Ｃ  ボタンホール
Ｐ  転写紙
Ｈ，ｈ  ボタンの取付け位置までの長さ
Ｆ１，Ｆ２  縫糸
【図１−１】
2005261445.tif 000002
【図１−２】
2005261445.tif 000003
【図１−３】
2005261445.tif 000004
【図１−４】
2005261445.tif 000005
【図１−５】
2005261445.tif 000006
【図１−６】
2005261445.tif 000007
【図２−１】
2005261445.tif 000008
【図２−２】
2005261445.tif 000009
【図２−３】
2005261445.tif 000010
【図２−４】
2005261445.tif 000011
【図３−１】
2005261445.tif 000012
【図３−２】
2005261445.tif 000013
【図３−３】
2005261445.tif 000014
【図３−４】
2005261445.tif 000015
【図４】
2005261445.tif 000016
【図５−１】
2005261445.tif 000017
【図５−２】
2005261445.tif 000018
【図６】
2005261445.tif 000019
【図７−１】
2005261445.tif 000020
【図７−２】
2005261445.tif 000021
【図７−３】
2005261445.tif 000022
【図７−４】
2005261445.tif 000023
【図８】
2005261445.tif 000024
【図９−１】
2005261445.tif 000025
【図９−２】
2005261445.tif 000026
【図１０】
2005261445.tif 000027